(57)【特許請求の範囲】
【請求項１】
印字ヘッドに対して接近離反する方向に移動可能に設けられかつ印字ヘッドにより印字を行う媒体を保持する媒体保持手段と、
該媒体保持手段が媒体を保持していない状態で印字ヘッドに突き当たったときの移動量と保持した媒体を介して印字ヘッドに突き当たったときの移動量から媒体の厚さを検出する厚さ検出手段と、
該厚さ検出手段により検出された媒体の厚さに基づいて前記媒体保持手段を移動させることにより媒体の表面と前記印字ヘッドの間の間隔を調整する間隔調整手段とを備え、
前記厚さ検出手段で検出した２つの媒体の厚さを比較して、媒体が重送されたか否かを判定することを特徴とする媒体処理装置。
【請求項２】
請求項１において、
１番目の媒体の厚さと現在処理している現媒体の厚さとを記憶する記憶手段と、前記１番目の媒体の厚さと前記現媒体の厚さとを比較しての差分を求める算出手段と、その厚さの差分に基づいて媒体が重送されたか否かを判定する判定手段とを具備したことを特徴とする媒体処理装置。
【請求項３】
請求項２において、
前記判定手段は、１番目の媒体が現媒体よりも厚いときにその１番目の媒体が重送されたと判定することを特徴とする媒体処理装置。
【請求項４】
請求項３において、
前記判定手段が１番目の媒体が重送されたと判定したときに警告を行う警告手段を具備したことを特徴とする媒体処理装置。
【請求項５】
請求項２において、
前記判定手段は、現媒体が１番目の媒体よりも厚いときにその現媒体が重送されたと判定することを特徴とする媒体処理装置。
【請求項６】
請求項５において、
前記判定手段が現媒体が重送されたと判定したときにその現媒体をリジェクト手段に搬送することを特徴とする媒体処理装置。
【請求項７】
通帳をクランプしたのち回転することによりその通帳の頁をめくる頁捲フィードローラおよび頁捲プレッシャローラを有する頁捲部と、頁をめくる動作時に前記頁捲プレッシャローラの回転を停止させて前記頁捲フィードローラのみを回転させる回転制御手段と、めくられたページを検出する検出センサを有し、処理する媒体を前記通帳および証書とする媒体処理装置において、
処理する媒体が証書のとき、証書を前記頁捲部に搬送して前記頁捲フィードローラおよび頁捲プレッシャローラにより頁をめくる動作を行い、この動作で前記証書がめくられたことを前記検出センサが検出した場合、証書の重送と判定することを特徴とする媒体処理装置。
【請求項８】
請求項７において、
前記回転制御手段は、前記頁捲フィードローラを回転させるときに、前記媒体を前記所定の位置まで搬送するときと逆方向に搬送する場合に回転させることが必要な方向に回転させることを特徴とする媒体処理装置。
【請求項９】
請求項７または請求項８において、
前記搬送フィードローラおよび前記搬送プレッシャローラの円周面に摩擦材を設け、証書同士の摩擦係数よりも証書と前記搬送フィードローラおよび前記搬送プレッシャローラの摩擦係数を大きくしたことを特徴とする媒体処理装置。
【発明の詳細な説明】
【０００１】
【発明の属する技術分野】
本発明は、銀行などの金融機関において証書または通帳を発行する通帳証書発行装置に関し、さらに詳しくは、証書の重送を検出する通帳証書発行装置に関する。
【０００２】
【従来の技術】
通帳または証書（以下、媒体と言う。）を収納するホッパが複数配置され、印字を行うときに指定された媒体を自動的に取り出して印字を行って、排出スタッカに排出する通帳証書発行装置が知られている。
【０００３】
【発明が解決しようとする課題】
しかしながら、上記従来の通帳証書発行装置では、特に、証書を自動的に取り出すときに２枚以上取り出してしまう（以下、重送と言う。）ことがある。なお、証書を重送したまま排出スタッカに排出すると障害が発生する問題点がある。
一方、重送を検出し、例えば印字動作を停止させる重送検出構成を備えた通帳証書発行装置も知られている。しかしながら、重送検出構成を配置する分だけ通帳証書発行装置の規模が大きくなる問題点がある。また、重送検出構成の分だけ通帳証書発行装置のコストが高くなる問題点がある。
【０００４】
【課題を解決するための手段】
上記問題を解決するために、本発明は、印字ヘッドに対して接近離反する方向に移動可能に設けられかつ印字ヘッドにより印字を行う媒体を保持する媒体保持手段と、該媒体保持手段が媒体を保持していない状態で印字ヘッドに突き当たったときの移動量と保持した媒体を介して印字ヘッドに突き当たったときの移動量から媒体の厚さを検出する厚さ検出手段と、該厚さ検出手段により検出された媒体の厚さに基づいて前記媒体保持手段を移動させることにより媒体の表面と前記印字ヘッドの間の間隔を調整する間隔調整手段とを備え、前記厚さ検出手段で検出した２つの媒体の厚さを比較して、媒体が重送されたか否かを判定することを特徴とする。
【０００５】
上記通帳証書発行装置では、厚さ検出手段により検出された２つの媒体の厚さを比較することにより媒体が重送されたか否かを判定する。
一般的に、通帳証書発行装置では、印字ヘッドと媒体の表面の間の間隔を所定間隔に保つために媒体の厚さを求めている。従って、本発明では、従来とほぼ同じ構成で重送を検出することができるから、装置の規模およびコストを抑えることができることとなる。
【０００６】
【発明の実施の形態】
以下、図に示す実施の形態により本発明をさらに詳細に説明する。なお、これにより本発明が限定されるものではない。
−第１の実施形態ー
図１に、本発明の第１の実施の形態の通帳証書発行装置の構成図を示す。
【０００７】
この通帳証書発行装置１００は、１１は通帳ホッパ部、１２は証書ホッパ部、１３は搬送路、２０は印字部、４０は頁捲部、６０は排出スタッカ、７０はリジェクト部から構成される。
前記通帳ホッパ部１１は複数の通帳を種類別に収納し、前記証書ホッパ部１２は複数の証書を種類別に収納する。前記搬送路１３は、通帳を１冊ずつまた証書を１枚ずつ前記印字部２０に搬送する。前記印字部２０は、搬送されてきた通帳または証書に印字を行って排出スタッカ６０に排出する。なお、通帳の開かれている頁と印字を行う頁が違う場合に、その通帳を前記頁捲部４０に搬送する。前記頁捲部４０は、搬送されてきた通帳を印字を行う頁まで改頁して再び前記印字部２０に搬送する。通帳や証書を処理中に媒体スキューなどがおき復旧しない場合は、その通帳や証書を前記リジェクト部７０に排出される。
【０００８】
図２は、前記印字部２０の詳細斜視図であり、図３はその印字部２０の側面図である。
この印字部２０では、２１は印字ヘッド、２２はキャリッジ、２３はハードプロテクタ、２４はメインシャフト、２５は圧力センサ、２６はガイドブラケットである。
【０００９】
前記ガイドブラケット２６は、キャリッジ２２とメインシャフト２４を支点として矢印２８で示す方向に回転可能に取り付けられており、２９の引っ張りスプリングをキャリッジ２２にかけることによって、ベアリング３０を介してサイドガイド３０をはさんでいる。また、前記ガイドブラケット２６は、キャリッジ２２が矢印３２で示した方向に動いた場合、圧力センサ２５がある位置にブッシュピン３３が取り付けられている。
【００１０】
この印字部２０では、通帳や証書のように紙厚の違う媒体に最適に印字を行うために、その媒体を保持するプラテン３４を、媒体の紙厚に基づいて、モータ３５によって上下移動して媒体の表面と印字ヘッド２１との間に所定の間隔ｒを開けるようになっている。なお、プラテン３４の位置は、スリットセンサ３６のスリット９０のカウントによって求めるまたは制御することができる。
【００１１】
このとき、まず、図３に示すように、媒体を設置していないプラテン３４を上げる。すると、そのプラテン３４がハードプロテクタ２３にぶつかり、キャリッジ２２がメインシャフト２４を支点に回転する。このキャリッジ２２が回転することによって、キャリッジ２２の圧力センサ２５がブッシュピン３３に接続してオン状態になる。この状態でのスリットセンサ３６のスリット９０のカウントをＡ１とする。
【００１２】
次に、図４の（ａ）に示すように、媒体３７を設置してプラテン３４を上げる。すると、媒体３７がハードプロテクタ２３にぶつかり、キャリッジ２２がメインシャフト２４を支点に回転する。このキャリッジ２２が回転することによって、図４の（ｂ）に示すように、キャリッジ２２の圧力センサ２５がブッシュピン３３に接続してオン状態になる。この状態でのスリットセンサ３６のスリット９０のカウントをＡ２とする。
【００１３】
これにより、媒体３７の厚さｑが
ｑ＝（Ａ１−Ａ２）×ｓ
（但し、ｓはスリット幅）
となる。
次に、図４の（ｃ）に示すように、モータ３５は、プラテン３４とハードプロテクタ２３の間に（ｒ＋ｑ）だけの間隔が開く位置までに前記プラテン３４を下げる。
【００１４】
次に、上記印字部２０を用いて、証書の重送を検出するためにかかる動作について説明する。
まず、図５に示すように、媒体が設置されていないプラテン３４を上げ、圧力センサ２５がオン状態になったときのスリットセンサ３６のスリット９０のカウントをＢ０とする。
【００１５】
次に、図６に示すように、ステップＴ１では、証書ホッパ１２から１枚の証書を分離する。
ステップＴ２では、搬送路１３は、その証書を印字部２０まで搬送し、プラテン３４上に設置する。
ステップＴ３では、プラテン３４を上げる。
【００１６】
ステップＴ４では、圧力センサ２５がオン状態になった否かを検出する。圧力センサ２５がオン状態になったならステップＴ５に進み。圧力センサ２５がオン状態になっていないなら上記ステップＴ３に戻ってプラテン３４をさらに上げる。
ステップＴ５では、圧力センサ２５がオン状態になったときのスリットセンサ３６のスリット９０のカウントＢｉ（ｉ＝１，２，…，ｎ。但し、ｎは、処理する証書の数）を記憶する。
【００１７】
ステップＴ６では、証書の厚さ
Ｄｉ＝（Ｂ０−Ｂｉ）×ｓ
を算出する。
ステップＴ７では、ｉ＝１かを判定する。ｉ＝１なら、すなわち、１枚目の証書を処理するならステップＴ８に進む。一方、ｉ≠１なら、すなわち、２枚目以降の証書を処理するならステップＴ９に進む。
【００１８】
ステップＴ８では、印字などの処理を行い、そして、上記ステップＴ１に戻って次の証書を処理する。
ステップＴ９では、１枚目の証書の厚さＤ１が２枚目以降の証書の厚さＤｉより厚いか否かを判定する。１枚目の証書の厚さＤ１が２枚目以降の証書よりも厚いなら、１枚目の証書が重送されたこととなり、ステップＴ１０に進む。一方、１枚目の証書の厚さＤ１が２枚目以降の証書よりも厚くないなら、１枚目の証書が重送されていないこととなり、ステップＴ１１に進む。
【００１９】
ステップＴ１０では、「１枚目の証書に重送が発生しました」のようなエラーメッセージを表示したり、警報音を発生したりする、そして、動作を終了する。  ステップＴ１１では、２枚目以降の証書の厚さＤｉが１枚目の証書の厚さＤ１より厚いか否かを判定する。２枚目以降の証書の厚さＤｉが１枚目の証書の厚さＤ１より厚いなら、２枚目以降の証書が重送されたこととなり、ステップＴ１２に進む。一方、２枚目以降の証書の厚さＤｉが１枚目の証書の厚さＤ１より厚くないなら、２枚目以降の証書が重送されていないこととなり、ステップＴ８に進んで印字などの処理を行い、そして、上記ステップＴ１に戻って次の証書を処理する。
【００２０】
ステップＴ１２では、重送されている２枚目以降の証書をリジェクト部７０に搬送する。これにより、証書を重送したまま排出スタッカ６０に排出することを防止することができ、障害が発生しなくなる。
ステップＴ１３では、処理すべき証書を全て処理したか否かを判定する。全ての証書を処理したなら動作を終了する。処理すべき証書が残っているいるなら上記ステップＴ１に戻って次の証書を処理する。
【００２１】
上記通帳証書発行装置１００によれば、処理すべき１枚目の証書の厚さと２枚目以降の証書の厚さを比較することにより証書の重送を検出する。なお、通帳や証書の厚さを求めるための構成は従来と同じであるため、装置の規模やコストを増加させることなく証書の重送を検出することができる。
−第２の実施形態ー
本発明の第２の実施の形態の通帳証書発行装置の構成は上記通帳証書発行装置１００の構成と同じであるためその説明を省略する。
【００２２】
図７は、前記頁捲部４０の詳細側面図である。
この頁捲部４０では、４１は頁捲フィードローラ、４２はその頁捲フィードローラ４１に対向する頁捲プレッシャローラ、４３ａは搬送フィードローラ、４４ｂはその搬送フィードローラ４３ａに対向する搬送プレッシャローラ、４３ｃは搬送フィードローラ、４４ｄはその搬送フィードローラ４３ｃに対向する搬送プレッシャローラである。なお、頁捲フィードローラ４１と頁捲プレッシャローラ４２の円周面にゴムなどを設けることにより、その頁捲フィードローラ４１および頁捲プレッシャローラ４２と紙の摩擦係数を紙同士の摩擦係数より大きくする。
【００２３】
モータ４８は、前記頁捲フィードローラ４１を矢印で示すフォワード方向Ｆまたはバックワード方向Ｂに回転駆動する。
モータ４７は、前記頁捲プレッシャローラ４２と前記搬送フィードローラ４３ａと前記搬送プレッシャローラ４４ｂと前記搬送フィードローラ４３ｃと前記搬送プレッシャローラ４４ｄをフォワード方向Ｆまたはバックワード方向Ｂに回転駆動する。
【００２４】
位置検出センサ４５ａ，４５ｂは、搬送されてくる通帳の先端を検出する。そして、図示しない回転制御部は、モータ４７とモータ４８とを制御して、その通帳を所定の位置まで搬送する。
頁検出センサ４６は、頁をめくるときに跳ね上がる頁を検出する。そして、図示しない回転制御部は、モータ４７とモータ４８を制御して、次の頁をめくったり、今の通帳を搬出して別の通帳を所定の位置まで搬送したりする。
【００２５】
次に、上記頁捲部４０において通帳の頁をめくるときにかかる動作を説明する。
まず、通帳ホッパ部１１により１冊に分離された通帳４９を、搬送路１３を介して頁捲部４０まで搬送する。そして、図８に示すように、位置検出センサ４５ａによりその通帳４９の先端を検出する。
【００２６】
次に、頁捲フィードローラ４１と頁捲プレッシャローラ４２と搬送フィードローラ４３ａと搬送プレッシャローラ４３ｂとをフォワード方向Ｆに同速度で一定のカウントだけ回転駆動することにより通帳４９を頁をめくるための適切な位置（以下、開始位置と言う。）に搬送する。
次に、頁捲フィードローラ４１の回転を停止させ、頁捲プレッシャローラ４２と搬送フィードローラ４３ａと搬送プレッシャローラ４３ｂとをフォワード方向Ｆに回転駆動することにより通帳４９をフォワード方向Ｆに搬送する。なお、頁捲フィードローラ４１と通帳の中紙の摩擦係数が通帳の中紙同士の摩擦係数より大きいため、図９に示すように、通帳４９の中紙ｐは、頁捲フィードローラ４１との摩擦によってつられてめくれ状態になる。
【００２７】
次に、頁捲プレッシャローラ４２と搬送フィードローラ４３ａと搬送プレッシャローラ４３ｂの回転を停止させ、頁捲フィードローラ４１をバックワード方向Ｂに回転駆動する。これにより、図１０に示すように、通帳４９の中紙ｐは、頁捲フィードローラ４１の上に跳ね上がる。頁検出センサ４６は、この中紙ｐを検出する。なお、頁検出センサ４６により中紙ｐが検出されなかった場合、通帳４９の先端が位置検出センサ４５ａで検出できる位置までその通帳４９を搬送して上記動作を繰り返す。
【００２８】
次に、頁捲フィードローラ４１と頁捲プレッシャローラ４２と搬送フィードローラ４３ａと搬送プレッシャローラ４３ｂとをフォワード方向Ｆに回転駆動する。これにより、図１１に示すように、通帳４９は、頁捲フィードローラ４１と頁捲プレッシャローラ４２に引き込まれ、中紙ｐの頁めくりを完了する。
次に、上記頁捲部４０を用いて、証書の重送を検出するためにかかる動作について説明する。
【００２９】
まず、証書ホッパ部１２により１枚に分離された証書５０を、搬送路１３を介して頁捲部４０まで搬送する。そして、位置検出センサ４５ａによりその証書５０の先端を検出する。
次に、頁捲フィードローラ４１と頁捲プレッシャローラ４２と搬送フィードローラ４３ａと搬送プレッシャローラ４３ｂとをフォワード方向Ｆに同速度で一定のカウントだけ回転駆動することにより、図１２に示すように、証書５０を開始位置までに搬送する。
【００３０】
次に、頁捲プレッシャローラ４２と搬送フィードローラ４３ａと搬送プレッシャローラ４３ｂの回転を停止させて証書５０をクランプする。そして、頁捲フィードローラ４１をバックワード方向Ｂに回転駆動する。証書が重送されている場合、頁捲フィードローラ４１と証書の摩擦係数が証書同士の摩擦係数より大きいため、頁捲フィードローラ４１と接している証書５０ａは、図１３に示すように、頁捲フィードローラ４１との摩擦によってつられてめくれ状態になり、頁検出センサ４６によって検出される。なお、図中の５０ｂは、他の証書である。
【００３１】
一方、証書が重送されていない場合、頁捲フィードローラ４１と証書の摩擦係数および頁捲プレッシャローラ４２と証書の摩擦係数は同じなため、頁捲フィードローラ４１が空回りし、証書５０がつられてめくれ状態にならず、頁検出センサ４６によって検出されない。
頁検出センサ４６により証書が検出された場合は、証書が重送されていることになるから、頁捲フィードローラ４１と頁捲プレッシャローラ４２と搬送フィードローラ４３ａと搬送プレッシャローラ４３ｂとをバックワード方向Ｂに回転駆動することにより、それらの証書５０ａ，５０ｂをリジェクト部７０に搬送する。これにより、証書を重送したまま排出スタッカ６０に排出することを防止することができ、障害が発生しなくなる。
【００３２】
上記第２の実施の形態の通帳証書発行装置によれば、頁捲部４０で証書がめくれれた否かにより証書の重送を検出する。なお、通帳の頁をめくるための構成は従来と同じであるため、装置の規模やコストを増加させることなく証書の重送を検出することができる。
【００３３】
【発明の効果】
以上説明したように、本発明では、媒体の厚さを求め、１枚目の媒体の厚さと現在処理する現媒体の厚さとを比較し、両媒体の厚さに差が生じたときに媒体が重送されたと判定する。これにより、従来とほぼ同じ構成で証書の重送を検出することができ、装置の規模およびコストを抑えることができる。
【図面の簡単な説明】
【図１】本発明の第１の実施の形態の通帳証書発行装置の構成図である。
【図２】印字部の詳細斜視図である。
【図３】印字部の側面図である。
【図４】媒体の厚さを求めるときにかかる動作の説明図である。
【図５】媒体が設置されていないときのプラテンのカウントを求めるためにかかる動作のフローチャートである。
【図６】印字部を用いて証書の重送を検出するためにかかる動作のフローチャートである。
【図７】頁捲部の詳細側面図である。
【図８】頁捲部を用いて通帳の頁をめくるためにかかる動作の説明図（１）である。
【図９】頁捲部を用いて通帳の頁をめくるためにかかる動作の説明図（２）である。
【図１０】頁捲部を用いて通帳の頁をめくるためにかかる動作の説明図（３）である。
【図１１】頁捲部を用いて通帳の頁をめくるためにかかる動作の説明図（４）である。
【図１２】頁捲部を用いて証書の重送を検出するためにかかる動作の説明図（１）である。
【図１３】頁捲部を用いて証書の重送を検出するためにかかる動作の説明図（２）である。
【符号の説明】
１００          通帳証書発行装置
１１            通帳ホッパ部
１２            証書ホッパ部
１３            搬送路
２０            印字部
４０            頁捲部
６０            排出スタッカ
７０            リジェクト部
【図１】
0003685355.tif 000002
【図２】
0003685355.tif 000003
【図３】
0003685355.tif 000004
【図４】
0003685355.tif 000005
【図５】
0003685355.tif 000006
【図６】
0003685355.tif 000007
【図８】
0003685355.tif 000008
【図９】
0003685355.tif 000009
【図１０】
0003685355.tif 000010
【図１１】
0003685355.tif 000011
【図１２】
0003685355.tif 000012
【図１３】
0003685355.tif 000013
【図７】
0003685355.tif 000014